(57)【要約】【課題】パッティング方向を正確に知ることが出来るゴルフパターを提供する。【解決手段】本発明のゴルフパターは、シャフト１と、パターヘッド２を備え、パターヘッド２は、ボールをヒットするフェース面Ｆを有するフェース部２５と、フェース部２５の背面を構成するバックフェース部２６から構成され、フェース面Ｆを上方に向け、バックフェース部２６を接地した場合、パターヘッドのトウ方向においてフェース面Ｆの長手方向と接地面とがなす角度αと、ライ角βとの和が約９０°であることを特徴とする。【選択図】  図３
0003197816.tif 000002
【実用新案登録請求の範囲】
【請求項１】
シャフトと、前記シャフトの先端に固定されたフェース面を有するパターヘッドと、前記シャフトの後端部に設けられたグリップとを備えるゴルフパターであって、
前記パターヘッドは、ボールをヒットするフェース面を有するフェース部と、前記フェース部の背面を構成するバックフェース部とを有し、
前記フェース面を上方に向け、接地した場合、前記パターヘッドのトウ方向において前記フェース面の長手方向と接地面とがなす角度と、ライ角との和が約９０°であることを特徴とするゴルフパター。
【請求項２】
直線状部を有するシャフトと、
前記シャフトの一端に固定されたパターヘッドと、を備えるゴルフパターであって、
前記パターヘッドは、ボールをヒットするフェース面を有するフェース部と、前記フェース部の背面を構成するバックフェース部とを有し、
前記シャフトの直線状部を鉛直面内に配し、水平面に前記パターヘッドのソール部を接地させた時、
前記フェース面に接する鉛直面と前記バックフェース部に接する鉛直面とが、前記パターヘッドのトウ方向において角度αで交差し、
ライ角βとしたとき、下記式（１）の関係を有することを特徴とする、ゴルフパター。
α＋β＝９０°        （１）
【請求項３】
直線状部を有するシャフトと、
前記シャフトの一端に配置されたパターヘッドと、を備えるゴルフパターであって、
前記パターヘッドは、ボールをヒットするフェース面を有するフェース部と、前記フェース部の背面を構成するバックフェース部とを有し、
前記シャフトの直線状部を鉛直面内に配し、水平面に前記パターヘッドのソール部を接地させた時、
前記フェース面に接する鉛直面と、前記バックフェース部に接する鉛直面とが、前記パターヘッドのトウ方向において角度αで交差し、
前記角度αが１０°〜３０°であるゴルフパター。
【請求項４】
前記バックフェース部が上面視で、複数の凸部を有する凹凸面を構成し、前記バックフェース部に接する鉛直面は、前記複数の凸部の少なくとも二つに接する、請求項１〜３のいずれか１項に記載のゴルフパター。
【請求項５】
前記シャフトを起立させた状態で、前記パターヘッドのソール部は、前記接地面上に少なくとも３点の接地部を有し、前記ゴルフパター全体の重心位置が、前記接地部に囲まれた領域の上方に位置することを特徴とする請求項１〜４のいずれか１項に記載のゴルフパター。
【請求項６】
前記パターヘッドの上面部には、前記フェース面に略平行なラインが形成されており、前記ゴルフパターを水平面上で自立させた場合に、前記ラインの方向と前記シャフトの直線状部を含む鉛直面の方向が略一致することを特徴とする請求項５に記載のゴルフパター。
【請求項７】
直線状部を有するシャフトと、
前記シャフトの一端に配置されたパターヘッドと、を備えるゴルフパターであって、
前記パターヘッドは、ボールをヒットするフェース面を有するフェース部と、前記フェース部の背面を構成するバックフェース部と、水平面に接地するソール部と、を有し、
前記バックフェース部を下にして前記ゴルフパターを水平面に静置した時に前記シャフトの直線状部が指示する方向を第１の方向とし、
前記バックフェース部を回転の軸として前記シャフトを起立させ、前記シャフトの直線状部が鉛直面内に配され、かつ前記ソール部が前記水平面に接地した時、前記フェース面に対して垂直な方向を第２の方向とした時、
前記第１の方向と前記第２の方向が略同一であることを特徴とするゴルフパター。
【考案の詳細な説明】
【技術分野】
【０００１】
この考案は、ゴルフで使用されるパターに関するものである。詳しくは、パッティンググリーンのカップに向けてパットするときに、方向性を正確に出せるようにしたゴルフパターに関する。
【背景技術】
【０００２】
平坦なグリーン上であってもパッティングが思うようにいかない理由は、目標とするカップの方向に対するパターのフェースの方向性を一致させることが容易でないからである。この点に着目して、特許文献１では、パターの上面に支持具を介して指示棒を配置し、指示棒の方向をカップの方向に一致させることが開示されている。また、特許文献２には、ゴルフパターを自立させた状態で、カップに対する方向性を確認する様子が記載されている。
【先行技術文献】
【特許文献】
【０００３】
【特許文献１】特開２００６−２１２４０９号公報
【特許文献２】実用新案登録第３０７２９７４号公報
【考案の概要】
【考案が解決しようとする課題】
【０００４】
しかしながら、特許文献１に記載のゴルフパターは、練習用に使用できるにすぎず、このような指示棒を実際のプレーでは使用ですることはできない。また、特許文献２のパターでも、ゴルフパターのヘッド部分の短い長さでパッティング方向を判定せねばならず、かつ自立状態でパターのフェースの角度の調整は極めて微妙で容易でない上に、パッティングに時間がかかるという問題が有った。
【０００５】
そこで、比較的長いシャフトの直線状部を利用してパッティングの方向性を確定出来れば、精度の高い方向付けができる。しかしながら、シャフトを用いてカップに対する方向付けができたとしても、シャフトで確定された方向はプレーヤーの記憶にしか残らないため、パッティングのアドレス時には、特に初心者にとって、シャフトで確定された方向をパターのヘッドに正確に反映することは極めて困難であった。
【課題を解決するための手段】
【０００６】
本考案は、このような問題を解決するものであって、考案者が、パターヘッドの形状とシャフトのライ角を関連付けることによって、シャフトの直線状部で確定されたパッティングの方向を、シャフトを起立させたアドレス時に、パターのフェース面に直接反映できることを見出したことによるものである。
【０００７】
すなわち、本考案は以下の通りである。
（１）ゴルフパターであって、シャフトと、シャフトの先端に固定されたフェース面を有するパターヘッドと、シャフトの後端部に設けられたグリップとを備えるゴルフパターであって、パターヘッドは、ゴルフボール（以下、ボールと称する。）をヒットするフェース面を有するフェース部と、フェース部の背面を構成するバックフェース部とを有し、フェース面を上方に向け、接地した場合、パターヘッドのトウ方向においてフェース面の長手方向と接地面とがなす角度と、ライ角との和が約９０°であることを特徴とする。
（２）ゴルフパターであって、直線状部を有するシャフトと、シャフトの一端に固定されたパターヘッドと、を備え、パターヘッドは、ボールをヒットするフェース面を有するフェース部と、フェース部の背面を構成するバックフェース部とを有し、シャフトの直線状部を鉛直面内に配し、水平面にパターヘッドのソール部を接地させた時、フェース面に接する鉛直面とバックフェース部に接する鉛直面とが、パターヘッドのトウ方向において角度αで交差し、ライ角βとしたとき、下記式（１）の関係を有することを特徴とする。
α＋β＝９０°        （１）
（３）ゴルフパターであって、直線状部を有するシャフトと、シャフトの一端に配置されたパターヘッドと、を備え、パターヘッドは、ボールをヒットするフェース面を有するフェース部と、フェース部の背面を構成するバックフェース部とを有し、シャフトの直線状部を鉛直面内に配し、水平面にパターヘッドのソール部を接地させた時、フェース面に接する鉛直面と、バックフェース部に接する鉛直面とが、パターヘッドのトウ方向において角度αで交差し、角度αが１０°〜３０°であることを特徴とする。
（４）ゴルフパターであって、バックフェース部が上面視で、複数の凸部を有する凹凸面を構成し、バックフェース部に接する鉛直面は、複数の凸部の少なくとも二つに接することを特徴とする。
（５）ゴルフパターであって、シャフトを起立させた状態で、パターヘッドのソール部は、接地面上に少なくとも３点の接地部を有し、ゴルフパター全体の重心位置が、接地部に囲まれた領域の上方に位置することを特徴とする。
（６）ゴルフパターであって、パターヘッドの上面部には、フェース面に略平行なラインが形成されており、ゴルフパターを水平面上で自立させた場合に、ラインの方向とシャフトの直線状部を含む鉛直面の方向が略一致することを特徴とする。
（７）ゴルフパターであって、直線状部を有するシャフトと、シャフトの一端に配置されたパターヘッドと、を備え、パターヘッドは、ボールをヒットするフェース面を有するフェース部と、フェース部の背面を構成するバックフェース部と、水平面に接地するソール部と、を有し、バックフェース部を下にしてゴルフパターを水平面に静置した時にシャフトの直線状部が指示する方向を第１の方向とし、バックフェース部を回転の軸としてシャフトを起立させ、シャフトの直線状部が鉛直面内に配され、かつソール部が水平面に接地した時、前記フェース面に対して垂直な方向を第２の方向とした時、該第１の方向と該第２の方向が略同一であることを特徴とする。
【考案の効果】
【０００８】
本考案のゴルフパターは、シャフトで確定されたカップに対する方向付けが、パターヘッドのフェース面に正確に反映できる。また、上記（６）に係るゴルフパターはさらに、ゴルフグリーンの傾斜についての情報を提供することが出来る。それらにより、初心者であっても、パッティングの成功率を高めることが出来て、ゴルフをプレーする楽しみが大きくなるという効果を有する。
【図面の簡単な説明】
【０００９】
【図１】ソール部を水平面に接地した状態を側方から見たゴルフパターの模式図である。
【図２】ゴルフパターを水平面上に倒し、シャフトの直線状部をカップ方向に方向付けした状態を示す模式図である。
【図３】（ａ）起立しているゴルフパターを上方から見た平面図である。（ｂ）フェース面を上方にして水平面に倒したゴルフパターを上方から見た平面図である。
【図４】パターヘッドとボールおよびカップの位置関係を示す模式図。
【図５】上方から見たパターヘッドの形状を例示する平面図である。
【図６】上方から見たパターヘッドの形状を例示する平面図である。
【図７】上方から見たパターヘッドの形状を例示する平面図である。
【図８】（ａ）、（ｂ）ゴルフパターの上面視を示す図である。
【考案を実施するための形態】
【００１０】
以下、図１〜図３を用いて、シャフトによる方向づけがパターヘッドのフェース面に正確に反映できることを説明する。
図１は、本考案のゴルフクラブを、ソール部２４を水平面Ｈに接地した状態で側面から見た形状を示す模式図である。シャフト１の一端にはパターヘッド２が固定されている。シャフト１の他端に設けられるグリップ部については図示を省略している。また、図１では、説明を簡潔にするため、シャフト１全体が直線状部を示しているが、パターヘッド２の近傍で湾曲した形状であってもよい。またパターヘッド２の上面部２３に屈曲した連結部（ホーゼルと称する）を形成し、シャフト１とパターヘッド２を接合していても良い。
【００１１】
パターヘッド２は、ボールにヒットするフェース面Ｆを有するフェース部２５と、パターヘッド２の背面を構成するバックフェース部２６と、底面を構成するソール部２４と、アドレス時にプレーヤー(図示しない)から最遠方の側面を構成するトウ部２１と、プレーヤー(図示しない)に近い方の側面を構成するヒール部２２と、上面部２３とを有する。本実施の形態では、説明を簡潔にするため、打球面であるフェース面Ｆがフェース部２５全体を構成しているが、曲面で構成されたフェース部２５の一部に平坦面で形成されたフェース面Ｆが設けられていても良い。ここで、ソール部２４が水平面に接地した状態で、トウ部２１とヒール部２２を通る垂直線へのシャフト１の直線状部分を投影したとき、水平面Ｈとシャフト１の直線状部の中心軸Ｃとがなす角度をライ角βと称する。
【００１２】
図２は、グリーン上にバックフェース部２６が接地する状態でシャフト１を倒すことで、シャフト１の直線状部の中心軸Ｃを含む方向線Ｄの延長線上にグリーン上のカップ３が存在するように狙いを定めた状態を説明する図である。実際のグリーンには多様なアンジュレーションが有るが、図２では、説明を簡潔にするため、グリーンを仮想的な水平面で示している。従来であれば、図２のようにして、シャフト１で方向付けしたとしても、アドレス時には、シャフト１の直線状部の中心軸Ｃの方向を正確に記憶する手段が無かったため、特に、ゴルフの初心者であるほど、パッティングアドレス時に正確な方向を再現することは、困難であった。
【００１３】
図３は本考案のゴルフパターを用いてカップ３への狙いを定める方法を説明する図である。図３（ａ）は、アドレス時のゴルフパターを上方から見た図であり、図３（ｂ）は、バックフェース部２６が接地するように、つまり、フェース面Ｆが上を向いた状態となるように、ゴルフパターをグリーン上に倒して、カップ３の方向にシャフト１の直線状部の中心軸Ｃを方向付けした状態を示す模式図である。
最初に、プレーヤーは、図３（ｂ）に示すように、ゴルフパターのシャフト１の直線状部を利用して、その中心軸Ｃの方向をグリーン上のカップ方向に向けて方向線Ｄを定める。この時、グリーンのアンジュレーションを考慮して、方向線Ｄをカップの中心方向に向けるか、またはカップの中心から外れた方向に向けるかを決定する。方向線Ｄに沿った中心軸Ｃの方向が決定されたら、図３（ｂ）に示すように、バックフェース部２６に属するＢ−Ｂ線を回転軸としてシャフト１を起立させ、ソール部２４をグリーン面に接地させる。この時、方向線Ｄに対するＢ−Ｂ線の角度が変化しないようにシャフト１を持ち上げる。このようにすることで、図３（ａ）に示すように、フェース面Ｆを方向線Ｄに対して直角方向に位置決めできる。このようにフェース面Ｆが位置決めできている状態なので、プレーヤーはフェース面Ｆの角度がぶれないようにパッティングするだけで正確に方向付けができる。
【００１４】
このように方向付けできるようにするため、本考案のゴルフパターは、フェース面Ｆを上方に向けてバックフェース部２６を接地した場合、フェース面Ｆの長手方向と接地面とがなす角度αと、上記ライ角との和が約９０°になるように構成している。すなわち、図３（ａ）において、フェース面Ｆに接する鉛直面の方向（フェース面Ｆの長手方向に相当する）を示す直線Ａとバックフェース部２６に接する鉛直面の方向（バックフェース部２６の接地面の方向に相当する）を示す直線Ｂとのなす角度αと、上記ライ角βとの間には下記の式（１）の関係が成立する。
α＋β＝９０°
【００１５】
上記（１）式についてさらに詳しく説明する。
まず、図３（ｂ）に示すように、方向線Ｄで示されるパッティング方向にシャフト１の直線状部の中心軸Ｃを揃えた状態にする。ここで、図３（ｂ）のパターヘッド２では、上面部２３とソール部２４とが平行であるため、シャフト１の直線状部の中心軸Ｃと上面部２３（またはソール部２４）とのなす角がライ角βに相当する。次に、シャフト１を持ってゴルフパターを起立させる。この時、パターヘッド２のバックフェース部２６とソール部２４との境界がＢ−Ｂ線を構成するので、Ｂ−Ｂ線を回転中心としてゴルフクラブを起立させる。ゴルフクラブを起立させた状態では、ソール部２４の全体が水平面に当接した状態となる。この時、Ｂ−Ｂ線が方向線Ｄとなす角はライ角βのままで維持されているため、図３（ａ）に示すように、バックフェース部２６に接する鉛直面と方向線Ｄとのなす角がβとなる。
バックフェース部２６に接する鉛直面とフェース面Ｆに接する鉛直面とは、トウ部２１側で、角度αで交差する。そうすると、バックフェース部２６に接する鉛直面に対して垂直の方向線Ｅが方向線Ｄとなす角は角度αとなる。
このように、式（１）が成立する条件に角度αおよびライ角βを設定することにより、パッティングの方向性を高めたゴルフクラブを提供することが出来る。
【００１６】
次に、図４を用いて、許容できる角度の変動範囲について説明する。
図４は、パターヘッド２のフェース面Ｆをカップ３の方向に向けた状態を示す。カップ３の直径Ｌ２は１０８ｍｍと規定され、ボールについては直径４２．６７ｍｍと規定されている。パッティングで一番重要なことは、距離Ｌ１が１ｍ以内のパット、いわゆるショートパットのパッティング成功率を高めることである。Ｌ１が１ｍ（１０００ｍｍ）とすると、ボール４がプレーヤーから見てカップ３の左端（もしくは右端）に接する位置に有る場合に、フェース面Ｆの略中央部とカップ３の中心を通る直線がフェース面Ｆの略中央部からボール４の中心とを結ぶ直線に対してなす角θは１．９°となる。したがって、フェース面Ｆは、フェース面Ｆの略中央部とカップ３の中心を通る直線に対して約２°傾いていても許容される。これから、角度αとライ角βとの和は９０°に対して、±２°の角度変動は許容できる。
【００１７】
また、本考案のゴルフクラブでは、角度αは１０°〜３０°の範囲であることが好ましく、より好ましくは、２０°±５°であり、最も好ましくは、２０°±２°である。角度αを上記範囲とすることにより、バックフェース部２６の長手方向を回転軸としてシャフト１を立ち上げる場合のフェース面Ｆのズレを少なくすることが出来る。
【００１８】
図５〜図７は、パターヘッド２のバックフェース部２６の形状を説明する図である。バックフェース部２６の形状は、直線状であっても良いし、曲面及びまたは屈曲形状であってもよい。図５のように直線状の場合、鉛直面とバックフェース部２６ａとは平行である。図６のように、バックフェース部２６ｂの外形形状が二つの凸部を有する異形の場合、バックフェース部２６ｂに接する鉛直面は、フェース面Ｆに対してトウ部２１側に傾斜する形態となる。さらに、図７のように、バックフェース部２６ｃが複数の凸部を有する形状の場合には、鉛直面はバックフェース部２６ｃの複数の凸部のうちの少なくとも二つの凸部に接すればよい。ここで、バックフェース部（２６、２６ａ、２６ｂ、２６ｃ）の高さ方向の形状については、平坦面であっても凹凸面であってもよく、特に限定するものではない。また、図５〜図７では、パターヘッド２を上方から見た形状が略台形状であるが、略三角形状であってもよく、さらに、多角形であってもよい。
【００１９】
図８（ａ）は、上面部２３に設けられたライン状の平行マーク２８と、ライン状の直角マーク２９を示す。直角マーク２９は、フェース面Ｆに対して直角な直線状のマークであり、フェース面Ｆでヒットしたボールが打ち出されるべき方向を示す。一方、平行マーク２８はフェース面Ｆに対して平行な方向に引かれた直線状のマークである。ゴルフグリーンには傾斜面が設けられていることが多い。打球方向が低くなる傾斜面上でパッティングする場合、水平面でパッティングする場合に比べて、打ち出し速度を遅くしないと、ボールはカップをオーバーしてしまうため、パッティングの強さを弱める必要が有る。逆に、打球方向が高くなる傾斜面では、パッティングの強さを強める必要が有る。このパッティングの強弱を的確に判断するのは、初心者にとっては極めて難しい。
【００２０】
本考案のゴルフパターでは、平行マーク２８を用いてグリーンの傾斜状態を判断することができる。すなわち、本考案のゴルフパターのソール部２４をグリーン面と平行になるように接地させた場合、グリーン面が水平な場合には、図８（ａ）に示すようにシャフト１の方向が平行マーク２８と平行になる。これに対して、例えば、打球方向が高くなるように傾斜した面上でソール部２４をグリーン面と平行になるように接地させた場合には、シャフト１の方向は平行マーク２８よりも後方側に倒れるため、図８（ｂ）に示すシャフト１と平行マーク２８とが角度を有することになる。そこで、プレーヤーは、シャフト１と平行マーク２８とがなす角度を参考にしてパッティングの強さを調整できる。
平行マーク２８と直角マーク２９は、印刷、突起、溝などの方法で形成することが出来る。
【００２１】
本考案の平行マーク２８は、特に、自立パターに適用した場合に効果的である。ここで、自立パターとは、シャフト１を起立させた状態で、パターヘッド２のソール部２４が、接地面上に少なくとも３点の接地部を有し、ゴルフパター全体の重心位置が、接地部に囲まれた領域の上方に位置するタイプのパターである。このタイプのパターは、プレーヤーがシャフト１を支持しなくとも自立することができる。この自立パターを用いた場合には、手を離した状態で上方から、シャフト１と平行マーク２８との角度を確認できるため、傾斜をより正確に判断することが出来るという効果が有る。
【符号の説明】
【００２２】
１  シャフト
２  パターヘッド
３  カップ
４  ボール
２１  トウ部
２２  ヒール部
２３  上面部
２４  ソール部
２５  フェース部
２６  バックフェース部
２６ａ  バックフェース部
２６ｂ  バックフェース部
２６ｃ  バックフェース部
２８  平行マーク
２９  直角マーク
Ｃ  シャフトの直線状部の中心軸
Ｈ  水平面
Ａ  フェース面に接する鉛直面の方向を示す直線
Ｂ  バックフェース部に接する鉛直面の方向を示す直線
Ｆ  フェース面
Ｄ  方向線
Ｅ  方向線
【図１】
0003197816.tif 000003
【図２】
0003197816.tif 000004
【図３】
0003197816.tif 000005
【図４】
0003197816.tif 000006
【図５】
0003197816.tif 000007
【図６】
0003197816.tif 000008
【図７】
0003197816.tif 000009
【図８】
0003197816.tif 000010